【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
トナー像を担持する像担持体と、前記像担持体から被転写体にトナー像を転写させる転写手段と、前記転写手段に電圧を印加する印加手段と、を有し、前記像担持体にトナー像を形成し、前記像担持体から前記被転写体にトナー像を転写する画像形成を行う画像形成装置において、
前記印加手段が前記転写手段に電圧を印加したときに流れる電流値を検知する検知手段と、
画像形成前に、前記検知手段により検知される電流値が所定の電流値に近付くように前記印加手段の出力を調整してその際の出力の電圧値に基づいて該画像形成における前記転写時に前記印加手段が前記転写手段に印加する電圧値を制御する制御動作を実行させる制御手段と、を有し、
前記制御手段は、前記制御動作において前記調整を行う時間を変更可能であり、前回の画像形成後の経過時間が所定の経過時間以上の場合に前記調整を行う時間を第１の時間とし、前回の画像形成後の経過時間が前記所定の経過時間未満の場合に前記調整を行う時間を前記第１の時間よりも短い第２の時間とすることを特徴とする画像形成装置。
【請求項２】
トナー像を担持する像担持体と、前記像担持体から被転写体にトナー像を転写させる転写手段と、前記転写手段に電圧を印加して電流を供給する印加手段と、を有し、前記像担持体にトナー像を形成し、前記像担持体から前記被転写体にトナー像を転写する画像形成を行う画像形成装置において、
前記印加手段が前記転写手段に電流を供給したときに発生する電圧値を検知する検知手段と、
画像形成前に、前記検知手段により検知される電圧値が所定の電圧値に近付くように前記印加手段の出力を調整してその際の出力の電流値に基づいて該画像形成における前記転写時に前記印加手段が前記転写手段に供給する電流値を制御する制御動作を実行させる制御手段と、を有し、
前記制御手段は、前記制御動作において前記調整を行う時間を変更可能であり、前回の画像形成後の経過時間が所定の経過時間以上の場合に前記調整を行う時間を第１の時間とし、前回の画像形成後の経過時間が前記所定の経過時間未満の場合に前記調整を行う時間を前記第１の時間よりも短い第２の時間とすることを特徴とする画像形成装置。
【請求項３】
所定時間内の画像形成枚数と相関する指標値を計数する計数手段を有し、
前記制御手段は、前記計数手段により計数された今回の前記制御動作前の前記所定時間内の計数値が所定の計数値以上の場合に、前記経過時間に基づいて前記調整を行う時間の変更を行い、前記計数手段により計数された今回の前記制御動作前の前記所定時間内の計数値が前記所定の計数値未満の場合には、前記経過時間にかかわらず前記調整を行う時間を前記第２の時間とすることを特徴とする請求項１又は２に記載の画像形成装置。
【請求項４】
前記制御動作における前記印加手段の立ち上げ時の出力の目標値は、前回の画像形成における前記転写時の前記印加手段の出力に応じて決定されることを特徴とする請求項１又は２に記載の画像形成装置。
【請求項５】
前記制御手段は、一の指示により複数の画像を連続して形成する連続画像形成を行う場合には、該連続画像形成の最初の画像形成前に前記制御動作を実行させると共に、該連続画像形成中に前記転写時の前記印加手段の出力を変更することができることを特徴とする請求項１〜４のいずれか一項に記載の画像形成装置。
【請求項６】
前記経過時間は、前回の画像形成の終了と関係付けられた第１の基準時から、次の画像形成前の前記制御動作の開始と関係付けられた第２の基準時までの時間であることを特徴とする請求項１〜５のいずれか１項に記載の画像形成装置。
【請求項７】
前記第１の基準時は、画像形成による機内の昇温が終了する時点又は機内の降温が開始する時点であり、前記第２の基準時は、前記制御動作における前記印加手段の出力を立ち上げる直前の時点であることを特徴とする請求項６に記載の画像形成装置。
【請求項８】
前記被転写体は前記像担持体から転写されたトナー像を記録材に転写するための中間転写体であり、前記転写手段は前記中間転写体を介して前記像担持体に対応して設けられた転写部材であることを特徴とする請求項１〜７のいずれか一項に記載の画像形成装置。
【請求項９】
前記像担持体は別の像担持体から転写されたトナー像を前記被転写体としての記録材に転写するための中間転写体であり、前記転写手段は前記中間転写体との間で前記記録材を挟持する転写部材であることを特徴とする請求項１〜７のいずれか一項に記載の画像形成装置。
【請求項１０】
前記中間転写体は、イオン導電性を有する無端状のベルトであることを特徴とする請求項８又は９に記載の画像形成装置。
【請求項１１】
前記被転写体は記録材担持体に担持されて搬送される記録材であり、前記転写手段は前記記録材担持体を介して前記像担持体に対応して設けられた転写部材であることを特徴とする請求項１〜７のいずれか一項に記載の画像形成装置。
【請求項１２】
前記転写手段は前記像担持体との間で前記被転写体としての記録材を挟持する転写部材であることを特徴とする請求項１〜７のいずれか一項に記載の画像形成装置。
【手続補正２】
【補正対象書類名】明細書
【補正対象項目名】００１２
【補正方法】変更
【補正の内容】
【００１２】
上記目的は本発明に係る画像形成装置にて達成される。要約すれば、本発明は、トナー像を担持する像担持体と、前記像担持体から被転写体にトナー像を転写させる転写手段と、前記転写手段に電圧を印加する印加手段と、を有し、前記像担持体にトナー像を形成し、前記像担持体から前記被転写体にトナー像を転写する画像形成を行う画像形成装置において、前記印加手段が前記転写手段に電圧を印加したときに流れる電流値を検知する検知手段と、画像形成前に、前記検知手段により検知される電流値が所定の電流値に近付くように前記印加手段の出力を調整してその際の出力の電圧値に基づいて該画像形成における前記転写時に前記印加手段が前記転写手段に印加する電圧値を制御する制御動作を実行させる制御手段と、を有し、前記制御手段は、前記制御動作において前記調整を行う時間を変更可能であり、前回の画像形成後の経過時間が所定の経過時間以上の場合に前記調整を行う時間を第１の時間とし、前回の画像形成後の経過時間が前記所定の経過時間未満の場合に前記調整を行う時間を前記第１の時間よりも短い第２の時間とすることを特徴とする画像形成装置である。
【手続補正３】
【補正対象書類名】明細書
【補正対象項目名】００１３
【補正方法】変更
【補正の内容】
【００１３】
本発明の他の態様によると、トナー像を担持する像担持体と、前記像担持体から被転写体にトナー像を転写させる転写手段と、前記転写手段に電圧を印加して電流を供給する印加手段と、を有し、前記像担持体にトナー像を形成し、前記像担持体から前記被転写体にトナー像を転写する画像形成を行う画像形成装置において、前記印加手段が前記転写手段に電流を供給したときに発生する電圧値を検知する検知手段と、画像形成前に、前記検知手段により検知される電圧値が所定の電圧値に近付くように前記印加手段の出力を調整してその際の出力の電流値に基づいて該画像形成における前記転写時に前記印加手段が前記転写手段に供給する電流値を制御する制御動作を実行させる制御手段と、を有し、前記制御手段は、前記制御動作において前記調整を行う時間を変更可能であり、前回の画像形成後の経過時間が所定の経過時間以上の場合に前記調整を行う時間を第１の時間とし、前回の画像形成後の経過時間が前記所定の経過時間未満の場合に前記調整を行う時間を前記第１の時間よりも短い第２の時間とすることを特徴とする画像形成装置が提供される。